(57)【要約】【課題】ボトルキャップの脱落を防止する。【解決手段】構造材を結合するボルトとナットをカバーするためのボルトキャップにおいて、キャップ本体は、一部に切欠又は小穴が設けられ、内部に粘稠なレジンを存在させた状態で、上記ナットが締め付けられた上記ボルトの頭もしくは足を覆う構成とする。このキャップ本体の内壁には突起が設けられる。  上記突起は、キャップ本体の内周に刻設した雌ネジとすることができる。これによって、固まったレジンが上記雌ネジの谷間に嵌りこんで振動に耐える状態を形成することになる。上記構成により、キャップ本体の内部に充填するレジンが前記突起の谷に浸透し、レジンが硬化したとき、キャップ本体の脱落を防止することができる。【選択図】図１
2012251585.tif 000002
【特許請求の範囲】
【請求項１】
構造材を結合するボルトとナットをカバーするためのボルトキャップにおいて、
一部に切欠又は小穴が設けられ、内部に粘稠なレジンを存在させた状態で、上記ナットが締め付けられた上記ボルトの頭もしくはナットを含む足を覆うキャップ本体と、
上記キャップ本体の内壁に設けられた突起と
を備えたことを特徴とするボルトキャップ。
【請求項２】
上記突起が、キャップ本体の内周に刻設された、雌ネジである請求項１に記載のボルトキャップ。
【請求項３】
ワッシャに対応する空洞を備え、上端に雌雄いずれかの嵌合部を設けた嵩上げピースを、キャップ本体の下端に設けた雌雄いずれかの嵌合部に嵌めこんだ請求項１に記載のボルトキャップ。
【請求項４】
ダブルナット使用時の１のナットの高さに対応する空洞を備え、上端に雌雄いずれかの嵌合部を設けた嵩上げピースを、キャップ本体の下端に設けた雌雄いずれかの嵌合部に嵌めこんだ請求項１に記載のボルトキャップ。
【請求項５】
上記嵩上げピースの嵌合部が、前記キャップ本体の雌ネジに対応する雄ネジである請求項３又端４に記載のボルトキャップ。
【発明の詳細な説明】
【技術分野】
【０００１】
本発明は、構造材を連結するときに使用するボルト・ナットをカバーするボルトキャップに関するものである。
【背景技術】
【０００２】
鉄骨がむき出しになる構造物、例えば、橋梁、鉄塔等は、鉄骨をボルトとナットで結合することによって、組み立てるようになっている。これら構造物に使用される鉄骨は防錆メッキが施され、更に、必要な場合は防錆塗装が施され、長期の使用に耐え得るようになっている。
【０００３】
上記ボルトとナットは施工時に工具で強力に締め付けられる等の機械的な力が加わり、上記防錆メッキの耐久性が劣化したり、あるいは通常の環境では相当の耐久性を示しても、海沿いの地域で塩分に晒されたときには、腐食が早くなる傾向がある。また、水槽やタンクの組み立てに使用されるボルト・ナットは、直接、間接に水分に晒される機会が多く、それだけ腐食が早くなることになる。
【０００４】
従来、上記のようなボルトとナットの腐食を防止するために、上記のように鉄骨を締め付けた状態のボルトの頭側、あるいはナットを含む足側を覆い、当該ボルト・ナットが水分や塩分に触れることを防止するボルトキャップが使用されていた。
【０００５】
しかしながら、従来のボルトキャップは、ボルトの頭あるいは足を、合成樹脂材あるいは金属で単純に覆うのみで、ボルト・ナットとボルトキャップの間の隙間が完全に密封されることはなく、特に、上記のように塩分や水分に晒されたときには、充分な耐食性を発揮ことは出来なかった。
【０００６】
上記の事情に鑑みて、本願発明者は、ボルトキャップ内に粘稠なレジンを充填し、上記鉄骨を締め着けた状態のボルトの頭あるいは足を側に被せ、当該ボルト・ナットの腐食を防止する方法について特許出願し、既に特許（特公平８−１１５９４）として認められている。
【先行技術文献】
【特許文献】
【０００７】
【特許文献１】特公平８−１１５９４
【発明の概要】
【発明が解決しようとする課題】
【０００８】
しかしながら、上記特許文献に開示された技術では、ボルトキャップの内壁が平滑であるため、レジンが固まるまでの間に、あるいは、レジンが固まった後でもボルトキャップが外れる恐れがあった。特に、橋梁等、振動の大きい構造物では、この危険性が高く、ボルトキャップが外れるとボルトの耐久性が劣化することになる。また、硬化したときに収縮するレジンを用いた場合にも上記欠点が顕著に現れることになる。
【０００９】
また、振動を受ける構造物ではナットの緩みを防止するために、ダブルナットを使用することがあり、この場合は、ボルト自体の長さが長くなり、上記構成のボルトキャップでは大きさそのものを変えない限り対応できないことになる。また、ボルトの頭と鉄骨の間、あるいはナットと鉄骨の間にワッシャを使用することがあるが、上記特許文献の開示では、低部をワッシャの大きさに対応した大きさにしない限り、対応できないことになる。
【００１０】
本発明は、上記従来の事情を鑑みて提案されたものであって、ボルトキャップが抜け落ちるおそれがなく、しかも、ダブルナット、あるいはワッシャを使用したときにも対応できるボルトキャップを提供することを目的とするものである。
【課題を解決するための手段】
【００１１】
本発明は、構造材を結合するボルトとナットをカバーするためのボルトキャップにおいて、キャップ本体は、一部に切欠又は小穴が設けられ、内部に粘稠なレジンを存在させた状態で、上記ナットが締め付けられた上記ボルトの頭もしくは足を覆う構成とする。このキャップ本体の内壁に突起が設けられる。
【００１２】
上記突起は、キャップ本体の内周に刻設した雌ネジとすることができる。これによって、固まったレジンが上記雌ネジの谷間に嵌りこんで振動に耐える状態を形成することになる。
【００１３】
ボルトで構造材を締め付けるときに、頭側あるいは足側にワッシャを用いることがあり、また、緩みを防止するためにダブルナットを使用することがある。この場合に対応して、上端に雌雄いずれかの嵌合部を設けた、ワッシャに対応する嵩上げピース、あるいは、ダブルナット使用時の１のナットの高さに対応する嵩上げピースを、使用する構成としてもよい。
【発明の効果】
【００１４】
上記構成により、キャップ本体の内部に充填するレジンが前記突起の谷に浸透し、レジンが硬化したとき、キャップ本体の脱落を防止することができる。更に、ワッシャを使用した場合あるいはダブルナットを使用した場合にも対応することができる。
【図面の簡単な説明】
【００１５】
【図１】本発明の別の実施形態を示す側面部分断面図
【図２】本発明の使用状態を示す図
【図３】本発明に使用する嵩上ピースを示す即面断面図
【図４】本発明に使用する嵩上げピースの別の実施形態を示す側面断面図
【図５】嵩上げピースの嵌合部の実施形態を示す図
【図６】嵩上げピースの嵌合部の別の実施形態を示す図。
【発明を実施するための形態】
【００１６】
図１は本発明の部分縦断面図である。
【００１７】
キャップ本体１は、下部がボルト４の頭４１あるいはボルトに螺着されたナット５が嵌り込む大きさの下筒１０をなし、上部がボルト４のナット５から突き出した部分が嵌り込む大きさ（下筒１０より径が小さい）の上端が天板２２で蓋され、前記下筒１０と一体に成形された上筒２０で構成される。上記下筒１０の内壁に、突起としての雌ネジ１４が刻設された構成になっている。
【００１８】
図２はこのキャップ本体１を実際にボルトに装着した状態を示すものである。
【００１９】
鉄骨１の両側に補強板２で挟み込まれ、前後（紙面垂直方向）に継ぎ合わされ、多数のボルトで締め付けられ固定され、構造物が構成される。この状態で、本願のボルトキャップが以下の手順で装着されることになる。
【００２０】
キャップ本体内にレジン３をいれて、キャップ本体１をボルト４の頭４１もしくはナット５を含む足４２に被せると、前記通気穴２１から余分のレジン３がはみ出した状態となる。ここで、前記レジン３はキャップ本体１内の雌ネジ１４の谷に浸透し、レジンの硬化によって、当該レジンは鉄骨及びボルトと接着した状態となるとともに、雌ネジの山が当該硬化したレジン３にくさび上に食い込んだ状態を形成する。これによって、振動等によってもキャップ１の本体が外れることを防止することになる。
【００２１】
上記通気穴２１から外にはみ出したレジン３は拭きとられて硬化するのを待つことになるが、硬化すると、上記のように外側が大きく内側が小さい径で構成された通気穴２１がくさびの役割をなし、この意味でもキャップ本体１が外力によって外れないことになる。
【００２２】
上記においては、レジン３を予めキャップ本体内に充填することにしたが、上記のように鉄骨に螺着されたボルト４の頭４１あるいはナット５を含む足４２に塗布した状態でボキャップ本体１を被せるようにしてもよい。
【００２３】
また、突起として、雌ネジを形成したが、雌ネジに限定されるものではなく、軸方向に略直角であれば、その形状に限定されるものではない。また、上記雌ネジのように周方向に連続した突起でなくても、周方向に間歇的に形成された突起であってもかまわない。
【００２４】
図３はワッシャを用いた場合に対応できる構成を示したものである。
【００２５】
ボルト４をナット５で締め付けるとき、ボルト４の頭４１の下、あるいはナット５の下側にワッシャを用いることがある。このときは上記ナットの大きさに合わせて構成されたキャップ本体１では対応できないことになる。
【００２６】
そこで、図３に示すように、下側にワッシャを嵌め込むことができる大きさの空洞６ａを持ち、上端にキャップ本体１の下端に対応する大きさの雌雄いずれかの嵌合部６ｂを備えた嵩上げピース６を構成する。一方、上記キャップ本体１の下端には、前記雌雄いずれかの嵌合部６ｂに符号する雌雄いずれかの嵌合部６０を設けて、両者を嵌め合わせるように構成する。これによって、ワッシャが使用されているときには、上記ワッシャ用の嵩上げピースをキャップ本体１の下側に嵌め合わせ、上記空洞６ａをワッシャ（図外）に被せ、上記下筒１０をボルトの頭４１もしくはナット５を含む足４２に被せることによって、ワッシャを用いた場合であっても本願の目的を達成できることになる。
【００２７】
更に、ボルト４をナット５で締め付けるとき、緩み止めを目的として、ダブルナットにすることがある。このときも上記１つナット５の大きさに合わせて構成されたキャップ本体１では対応できないことになる。
【００２８】
そこで、図４に示すようにナット１つ分の高さを持つ筒体９ａ、上側にキャップ本体１の下端に対応する大きさの雌雄いずれかの嵌合部９ｂを備えた嵩上げピースを構成する。      
【００２９】
また、上記キャップ本体１の下端には、前記雌雄いずれかの嵌合部９ｂに符号する雌雄いずれかの嵌合部６０を設けて、両者を嵌め合わせるように構成する。これによって、ダブルナットが使用されているときには、上記ダブルナット用の嵩上げピース９をキャップ本体１の下側に嵌め合わせることができることになる。
【００３０】
前記キャップ本体側の嵌合部６０は、キャップ本体の内壁に刻設した雌ネジ１４を利用することができ、この場合、ワッシャ用あるいはダブルナット用の嵩上げピース６、９の上端に形成された嵌合部６ｂ、９ｂは前記雌ネジ１４の下端に対応する雄ネジとなる。
【００３１】
図５、図６は、前記嵌合部６ｂ、９ｂの別の実施形態を示すものである。嵩上げピース６、９の上端外側に、少なくとも２つの突起６ｃ、９ｃを設ける一方、キャップ本体１の下端内周に、前記突起６ｃ、９ｃが符号する溝１６を開口部から上に向かって僅かに軸方向に、次いで周方向に直角に（全体としてＬ字に）刻設し、当該溝１６に上記突起６ｃ、９ｃを嵌め合わせる構成としたものである。
【００３２】
上記のように突起６ｃ、９ｃを設けた場合、当該突起６ｃ、９ｃを、前記キャップ本体１の内側の雌ネジ１４に螺着する構成とすることも可能である
【産業上の利用可能性】
【００３３】
以上説明したように本発明は、キャップ本体内にレジンを充填し、内周に刻設した雌ネジにレジンが浸透するので、振動等によって抜け落ちがなく、構造物の耐久性を高めることができ、産業上の利用価値は極めて高い。
【符号の説明】
【００３４】
３  レジン
４  ボルト
５  ナット
１４  突起（雌ネジ）
２１  切欠又は小穴
【図１】
2012251585.tif 000003
【図２】
2012251585.tif 000004
【図３】
2012251585.tif 000005
【図４】
2012251585.tif 000006
【図５】
2012251585.tif 000007
【図６】
2012251585.tif 000008